(57)【要約】【課題】簡単な構成でありながら、薄型化及び組立工程の簡素化を図ることができる調理器の操作スイッチの提供。【解決手段】誘導加熱調理器１の天板１２に設けた薄型の操作スイッチ３０であって、操作スイッチ３０は、可撓性を有するフイルム板３１と、揺動可能に支持されたキートップ４２を備えてなるキートップ板４１と、キートップ４２によって押圧操作されるスイッチ接点５２が実装されたスイッチ基板５１とをこの順番に重ね合わせた構成であり、キートップ板４１には、スイッチ基板５１側へ突出する鉤状の爪部４５が設けられており、スイッチ基板５１には、爪部４５を係合させる係合穴５５が形成されており、スイッチ基板５１に重ね合わせたキートップ板４１をその面方向へスライドさせることで、爪部４５が係合穴５５に係合してキートップ板４１がスイッチ基板５１に固定されるように構成した。【選択図】図２
2010212009.tif 000002
【特許請求の範囲】
【請求項１】
調理器の天板に設けた操作スイッチであって、
該操作スイッチは、
可撓性を有するフイルム板と、揺動可能に支持されたキートップを備えてなるキートッ
プ板と、前記キートップによって押圧操作されるスイッチが実装されたスイッチ基板と、
をこの順番に重ね合わせた構成であり、
前記キートップ板に設けた前記スイッチ基板側へ突出する爪部と、前記スイッチ基板に
設けた前記爪部を係合させる係合部と、を備え、
前記スイッチ基板に重ね合わせた前記キートップ板をその面方向へスライドさせること
で、前記爪部が前記係合部に係合して前記キートップ板が前記スイッチ基板に固定される
ように構成した
ことを特徴とする調理器の操作スイッチ。
【請求項２】
前記爪部は、前記キートップ板から離間した位置で該キートップ板の面に沿って延びる
係合片を有する鉤状の突起からなり、前記係合部は、前記爪部を挿入させる貫通穴からな
る
ことを特徴とする請求項１に記載の調理器の操作スイッチ。
【請求項３】
前記キートップ板には、前記キートップ板のスライドにより前記爪部が前記係合部に係
合する際、前記スイッチ基板の端部に当接して該スイッチ基板の前記面方向への移動を係
止する係止突起が形成されている
ことを特徴とする請求項１又は２に記載の調理器の操作スイッチ。
【発明の詳細な説明】
【技術分野】
【０００１】
本発明は、誘導加熱調理器などの各種調理器の天板に設けた薄型の操作スイッチに関す
る。
【背景技術】
【０００２】
従来、例えば特許文献１に示すように、調理容器を載置する天板と、該天板の下方に配
置した調理容器を加熱する誘導加熱コイルとを備えてなる誘導加熱調理器（いわゆるＩＨ
クッキングヒーター）がある。この種の誘導加熱調理器は、ガスを使わずに大きな火力で
揚げ物や煮物あるいは焼き物などの調理が行えるため、近年、各家庭において広く普及し
ている。
【先行技術文献】
【特許文献】
【０００３】
【特許文献１】特開２００３−１９００２４号公報
【発明の概要】
【発明が解決しようとする課題】
【０００４】
上記のような誘導加熱調理器では、天板の中央に調理容器を載置するためのガラス板が
嵌め込まれており、ガラス板の外周には、ステンレスなどの板材からなる天板枠が設けら
れている。そして、誘導加熱調理器の手前側（操作者側）の天板枠には、薄型の操作スイ
ッチ（タクトスイッチ）が配設されている。この操作スイッチは、天板枠に穿孔した操作
窓内に設けられており、複数のタッチ領域（押釦キー）及びその機能名が印刷形成された
可撓性のフイルム板と、アームを介して揺動可能に支持されたキートップを備えてなるキ
ートップ板と、該キートップによって押圧操作されるスイッチが実装されたスイッチ基板
と、スイッチ基板の下面側を覆う薄板状の絶縁カバーとがこの順番で積層された構成であ
る。このような操作スイッチが備えるタッチ領域には、火力キー、湯沸しキー、揚げ物キ
ーなど誘導加熱調理器の各種操作を行うためのキー機能が割り当てられている。
【０００５】
ところで、従来の誘導加熱調理器が備える操作スイッチでは、重ね合わせられたキート
ップ板とスイッチ基板との間の固定は、ビスの締結によって行われていた。しかしながら
キートップ板とスイッチ基板との間を固定するビスを設けていると、その分、操作スイッ
チの厚み寸法が大きくなり、天板の薄型化を図る際の妨げになるという問題があった。ま
た、操作スイッチの組立において、キートップ板とスイッチ基板との間を固定するビスを
締結する作業が必要となるため、操作スイッチの組立に手間や時間がかかるという問題も
あった。
【０００６】
本発明は上述の点に鑑みてなされたものであり、その目的は、簡単な構成でありながら
、さらなる薄型化及び組立工程の簡素化を図ることができる調理器の操作スイッチを提供
することにある。
【課題を解決するための手段】
【０００７】
上記課題を解決するための本発明は、調理器（１）の天板（１２）に設けた操作スイッ
チ（３０）であって、該操作スイッチ（３０）は、可撓性を有するフイルム板（３１）と
、揺動可能に支持されたキートップ（４２）を備えてなるキートップ板（４１）と、キー
トップ（４２）によって押圧操作されるスイッチ（５２）が実装されたスイッチ基板（５
１）とをこの順番に重ね合わせた構成であり、キートップ板（４１）には、スイッチ基板
（５１）側に突出する爪部（４５）が設けられており、スイッチ基板（５１）には、爪部
（４５）を係合させる係合部（５５）が形成されており、スイッチ基板（５１）に重ね合
わせたキートップ板（４１）をその面方向へスライドさせることで、爪部（４５）が係合
部（５５）に係合してキートップ板（４１）がスイッチ基板（５１）に固定されるように
構成したことを特徴とする。
【０００８】
本発明にかかる調理器の操作スイッチによれば、キートップ板の爪部をスイッチ基板の
係合部に係合させることで、スイッチ基板に対するキートップ板の固定が行える。これに
より、従来のスイッチ基板に必要であったキートップ板をスイッチ基板に固定するための
ビスなどの締結具が不要となる。したがって、その分、スイッチ基板の厚み寸法の小型化
（薄型化）を図ることができる。また、本発明の操作スイッチでは、スイッチ基板に重ね
合わせたキートップ板をその面方向へスライドさせることで、爪部が係合部に係合してキ
ートップ板がスイッチ基板に固定されるので、キートップ板のスイッチ基板に対する固定
が簡単に行えるようになる。また、当該固定は、工具を用いずに手作業で行うことが可能
である。したがって、操作スイッチ及び調理器の組立効率が向上する。
【０００９】
また、上記の操作スイッチでは、爪部（４５）は、キートップ板（４１）から離間した
位置で該キートップ板（４１）の面に沿って延びる係合片（４５ｂ）を有する鉤状の突起
からなり、係合部（５５）は、爪部（４５）を挿入させる貫通穴からなるとよい。これに
よれば、スイッチ基板に重ね合わせたキートップ板をその面方向へスライドさせるだけで
、キートップ板がスイッチ基板に固定される構造を、簡単な構成で安価に実現できる。
【００１０】
また、上記の操作スイッチでは、キートップ板（４１）に、キートップ板（４１）のス
ライドにより爪部（４５）が係合部（５５）に係合する際、スイッチ基板（５１）の端部
（５１ｃ）に当接して該スイッチ基板（５１）の面方向への移動を係止する係止突起（４
７）を形成するとよい。これによれば、キートップ板をスイッチ基板に対してより確実に
固定することができる。また、キートップ板をスイッチ基板に対してスライドさせるだけ
で、スイッチ基板に対するキートップ板の確実な固定が行えるようになる。
なお、上記の括弧内の符号は、後述する実施形態における構成要素の符号を本発明の一
例として示したものである。
【発明の効果】
【００１１】
本発明にかかる調理器の操作スイッチによれば、簡単な構成でありながら、薄型化及び
組立工程の簡素化を図ることができる。
【図面の簡単な説明】
【００１２】
【図１】本発明の一実施形態にかかる操作スイッチを備えた誘導加熱調理器の全体構成を示す斜視図である。
【図２】操作スイッチの構成部品を示す分解斜視図である。
【図３】キートップ板とスイッチ基板の部分拡大斜視図である。
【図４】組み立てた操作スイッチの一端を示す部分拡大斜視図である。
【図５】図４のＡ−Ａ部分の矢視断面図である。
【発明を実施するための形態】
【００１３】
以下、添付図面を参照して本発明の実施形態を詳細に説明する。図１は、本発明の一実
施形態にかかる操作スイッチ３０を備えた誘導加熱調理器１の外観構成を示す斜視図であ
る。同図に示す誘導加熱調理器１は、システムキッチンなどにドロップイン方式で組み込
まれて設置される調理器であり、略矩形状の筐体に収納された本体部１１と、本体部１１
の上面に装着された耐熱ガラスを備えてなる天板１２と、天板１２の下方に設置された熱
源となる左右一対の誘導加熱コイル１３，１４と、それらの中央奥側に配置されたラジエ
ントヒーター１５とを備えている。誘導加熱コイル１３，１４は、略円盤状の外形を有し
ており、天板１２の手前側の左右にそれぞれ１個ずつ配置されている。なお、本実施形態
の説明で手前側又は奥側というときは、誘導加熱調理器１の本体部１１における手前側（
操作者側）又は後側を示し、左右又は横方向というときは、本体部１１を手前側（操作者
側）から見た場合の左右及び横方向を示すものとする。
【００１４】
天板１２の外周には、ステンレスなどの板状部材で構成された天板枠１２ｃが設けられ
ている。天板枠１２ｃの手前側の辺には、横長の操作窓１７が穿孔されており、操作窓１
７内には、薄型の操作スイッチ（タクトスイッチ）３０が配置されている。操作スイッチ
３０の詳細構成については後述する。また、天板枠１２ｃの後端辺には、左右一対の吸排
気カバー１６，１６が着脱自在に装着されている。
【００１５】
本体部１１内の左側下部には、魚などの焼物用のグリル装置２０が設けられている。グ
リル装置２０は、誘導加熱コイル１３の下側において略直方体状の箱型に形成された加熱
室２２と、加熱室２２内に設置したヒーターユニット（図示せず）とを備えている。加熱
室２２の前面には、開口２３が設けられている。開口２３は、横長の略長方形状に形成さ
れており、開口２３には、手前側へ引き出し可能な前扉（フロントパネル）２５が設置さ
れている。前扉２５の奥側には、受皿（図示せず）が一体に取り付けられており、該受皿
には、網棚（図示せず）が載置されている。受皿と網棚は、加熱室２２内に収納されてお
り、前扉２５の開閉に伴い加熱室２２に対して出し入れされるようになっている。
【００１６】
本体部１１の前面１１ａにおける右側には、操作パネル１９が配置されている。操作パ
ネル１９には、シーソー式の電源スイッチ１９ａ、ランプ類１９ｂ、プッシュプッシュ式
の操作つまみ１９ｃなどが配設されている。操作つまみ１９ｃは、プッシュ操作により引
き出されることで、誘導加熱コイル１３，１４やラジエントヒーター１５の運転を開始で
きる一方、押し込まれることで、それらの運転を停止できるようになっている。また、操
作つまみ１９ｃを引き出し位置で回転操作することで、誘導加熱コイル１３，１４やラジ
エントヒーター１５による火力や調理時間、調理温度などの各種設定が行えるようになっ
ている。
【００１７】
図２及び図３は、天板１２に設けた操作スイッチ３０の構成例を示す図で、図２は、操
作スイッチ３０の構成部品を示す分解斜視図であり、図３は、後述するキートップ板４１
とスイッチ基板５１の部分拡大斜視図である。なお、図２では、天板１２の上下面を反転
させてその下面１２ｂ側から見た状態を示している。また、図３は、キートップ板４１と
スイッチ基板５１を下側から見た状態を示している。図２に示すように、操作スイッチ３
０は、天板枠１２ｃの操作窓１７内に設けられており、複数のタッチ領域３２及びその機
能名（図示せず）が印刷形成された可撓性のフイルム板３１と、揺動可能に支持されたキ
ートップ４２を備えてなるキートップ板４１と、キートップ４２により押圧操作されるス
イッチ接点５２が実装されたスイッチ基板５１と、スイッチ基板５１の下面５１ｂ側を覆
う薄板状の絶縁カバー６１とがこの順番で積層された構成である。
【００１８】
フイルム板３１は、合成樹脂材料で形成された可撓性を有する薄板状（フイルム状）の
部材で、天板枠１２ｃの下面１２ｂにおける操作窓１７に対応する位置に貼付されている
。図１に示すように、フイルム板３１の操作窓１７に露出する部分には、タッチ領域３２
の外形と当該タッチ領域３２のキー名称（火力キー、湯沸しキー、揚げ物キーなど）の文
字とが印刷形成されている。本実施形態では、操作スイッチ３０は、誘導加熱調理器１の
手前側の天板枠１２ｃに沿って左右に延びる略長方形状に形成されており、フイルム板３
１には、その長手方向に沿って多数のタッチ領域３２が配列されている。なお、天板枠１
２ｃの下面１２ｂには、フイルム板３１及びキートップ板４１を収容するための凹部１８
が形成されている。凹部１８は、フイルム板３１及びキートップ板４１の外形に沿う略長
方形状に形成されており、天板枠１２ｃの操作窓１７は、凹部１８内に配置されている。
【００１９】
キートップ板４１は、操作スイッチ３０の外形に合う略長方形状に形成された合成樹脂
製の薄板部材である。図３に示すように、キートップ板４１は、フイルム板３１のタッチ
領域３２に対応する位置に形成されたキートップ４２を備えている。キートップ４２は、
キートップ板４１に形成した略長方形状の開口部４３内に配置されている。キートップ４
２は、開口部４３の内形よりも一回り小さい外形で、開口部４３に対して若干の隙間を有
して配置された略長方形状の小片からなる。キートップ４２は、その外周の一部が可撓性
を有する細棒状のアーム４４を介して開口部４３の内周に連結されている。これにより、
キートップ４２は、キートップ板４１の上面４１ａ側から押圧操作されることで、アーム
４４の撓みにより下方に回動するようになっている。一方、キートップ４２を押圧してい
る力が解除されると、アーム４４の復元力によってキートップ４２は元の位置に自動復帰
する。なお、キートップ４２の下面には、後述するスイッチ接点５２を押圧するための小
突起状の押圧部４２ｃが形成されている。
【００２０】
キートップ４２は、キートップ板４１の長手方向に沿って多数個が配列されている。キ
ートップ板４１の下面４１ｂにおけるキートップ４２の両側（キートップ板４１の幅方向
の両側）には、一対の爪部４５，４５が形成されている。本実施形態では、爪部４５，４
５は一個おきのキートップ４２の両側に配置されている。爪部４５，４５は、互いに同形
状であり、キートップ板４１の下面４１ｂから下方に突出する基部４５ａと、該基部４５
ａの先端からキートップ板４１の下面４１ｂと平行にキートップ板４１の長手方向の一方
に向かって延びる係合片４５ｂとを有する横向き略Ｌ字型に形成されている。すなわち、
爪部４５は、キートップ板４１の下面４１ｂから若干離間した位置で該下面４１ｂに沿っ
て延びる係合片４５ｂを備えている。また、隣接するキートップ４２の間の一部には、後
述するビス７０を挿通するための貫通穴４６が形成されている。
【００２１】
また、キートップ板４１の長手方向の一端の下面４１ｂには、係止突起４７が形成され
ている。係止突起４７は、後述する操作スイッチ３０の組立において、キートップ板４１
のスライドにより、爪部４５がスイッチ基板５１の係合穴５５に係合する際、スイッチ基
板５１の端部５１ｃに当接して、該スイッチ基板５１の面方向への移動を係止するための
部分である。係止突起４７は、略直方体型の小突起状に形成されており、キートップ板４
１の長手方向の内側を向く端面（スイッチ基板５１の端部５１ｃに対向する端面）４７ａ
の下端が、キートップ板４１の下面４１ｂから離れるにつれてキートップ板４１の長手方
向の外側に向かって若干斜めに傾斜する傾斜面状に形成されている。
【００２２】
スイッチ基板５１は、操作スイッチ３０の外形に沿う長方形状の外形を有する硬質平板
からなり、その上面５１ａには、複数のスイッチ接点５２が配列されている。スイッチ接
点５２は、押圧されることで作動する接触式のスイッチであり、タッチ領域３２及びキー
トップ４２に対応して設けられている。また、図３に示すように、スイッチ基板５１にお
けるキートップ板４１の爪部４５に対応する位置には、爪部４５を係合させるための係合
穴（係合部）５５が設けられている。係合穴５５は、爪部４５を縦方向に挿入可能なよう
に、爪部４５の外周形状（キートップ板４１の下面４１ｂ側から見た外周形状）に沿う略
長方形状に形成された貫通穴である。また、スイッチ基板５１におけるキートップ板４１
の貫通穴４６に対応する位置には、ビス７０を挿通するための貫通穴５６が形成されてい
る。なお、スイッチ基板５１は、貫通穴５６の位置で長手方向が複数枚に分割されていて
もよい。
【００２３】
絶縁カバー６１は、金属材料などで形成された細板状の部材で、スイッチ基板５１を下
面５１ｂ側から覆うように、スイッチ基板５１の外形よりも一回り大きな長方形状に形成
されている。絶縁カバー６１におけるスイッチ基板５１の係合穴５５に対応する位置には
、爪部４５の先端を逃がすための逃がし穴６５が形成されている。また、絶縁カバー６１
の長手方向の両端及び長手方向の途中には、ビス７０を固定するための固定穴（ネジ穴）
６２が形成されている。絶縁カバー６１は、ビス７０によって天板１２の下面１２ｂに固
定される。なお、天板枠１２ｃの下面１２ｂにおけるビス穴６２に対応する位置には、ビ
ス７０を固定するための固定穴（ネジ穴）１２ｄが形成されている。
【００２４】
次に、上記の各部品からなる操作スイッチ３０の組立手順について説明する。操作スイ
ッチ３０を組み立てるには、まず、図２に示すように、天板１２の上下面を反転させた状
態とし、天板枠１２ｃの下面１２ｂに設けた凹部１８内にフイルム板３１を貼付して固定
する。次に、爪部４５を上方に向けたキートップ板４１の上に、スイッチ接点５２を下方
に向けたスイッチ基板５１を載置する。このとき、キートップ板４１の爪部４５をスイッ
チ基板５１の係合穴５５に挿入する。その状態で、キートップ板４１とスイッチ基板５１
とをそれらの長手方向に沿って相対的にスライド移動させる。図２に示す場合では、スイ
ッチ基板５１を左側へ移動させ、キートップ板４１を右側へ移動させる。これにより、爪
部４５が係合穴５５の端部（右端部）を挟み込んだ状態で係合する。また、キートップ板
４１とスイッチ基板５１の相対的なスライド移動の際、キートップ板４１の係止突起４７
がスイッチ基板５１の端部５１ｃに当接して係止されることで、スイッチ基板５１の長手
方向の固定がなされる。すなわち、図５に示すスイッチ基板５１の左側へのスライドに伴
い、スイッチ基板５１の端部５１ｃが係止突起４７の端部４７ａに沿って滑り落ちるよう
にして、係止突起４７の端部４７ａに当接係合する。以上により、キートップ板４１とス
イッチ基板５１とが固定される。
【００２５】
次に、一体に固定されたキートップ板４１及びスイッチ基板５１を天板枠１２ｃの凹部
１８に収納する。このとき、キートップ板４１の上面４１ａを天板１２側に向けた状態で
収納する。続いて、スイッチ基板５１の下面５１ｂに絶縁カバー６１を被せ、絶縁カバー
６１を天板枠１２ｃの下面１２ａに対してビス７０で固定する。これにより、天板枠１２
ｃの下面１２ｂに、フイルム板３１、キートップ板４１、スイッチ基板５１、絶縁カバー
６１がこの順に積層固定される。こうして操作スイッチ３０の組立が完了する。
【００２６】
図４は、組み立てた操作スイッチ３０の一端を示す斜視図で、図５は、図４のＡ−Ａ部
分の矢視断面図である。なお、図４では、絶縁カバー６１の一部を切断した状態で、操作
スイッチ３０の一端の内部を図示している。これらの図に示すように、本実施形態の操作
スイッチ３０では、キートップ板４１の爪部４５をスイッチ基板５１の係合穴５５に係合
させることで、スイッチ基板５１に対するキートップ板４１の固定が行えるように構成し
た。これにより、従来の操作スイッチに必要であったキートップ板をスイッチ基板に固定
するためのビスなどの締結具が不要となる。したがって、その分、操作スイッチ３０の厚
み寸法の小型化（薄型化）を図ることができ、誘導加熱調理器１の天板１２の薄型化を図
ることができる。
【００２７】
また、本発明の操作スイッチ３０では、スイッチ基板５１に重ね合わせたキートップ板
４１をその面方向へスライドさせることで、爪部４５が係合穴５５に係合してキートップ
板４１がスイッチ基板５１に固定されるように構成した。これにより、キートップ板４１
のスイッチ基板５１に対する固定が簡単に行えるようになる。また、当該固定は、工具を
用いずに手作業で行うことが可能である。したがって、操作スイッチ３０及び誘導加熱調
理器１の組立効率が向上する。
【００２８】
すなわち、この操作スイッチ３０では、キートップ板４１に設けた爪部４５は、キート
ップ板４１から離間した位置で該キートップ板４１の下面４１ｂに沿って延びる係合片４
５ｂを有する鉤状の突起からなる。これにより、スイッチ基板５１に重ね合わせたキート
ップ板４１をその面方向へスライドさせるだけで、キートップ板４１がスイッチ基板５１
に固定されるようになる。
【００２９】
また、この操作スイッチ３０では、キートップ板４１に係止突起４７を設け、キートッ
プ板４１のスライドで爪部４５が係合穴５５に係合する際、係止突起４７がスイッチ基板
５１の端部５１ｃに当接して、スイッチ基板５１の長手方向への移動が係止されるように
している。これにより、図４及び図５に示すように、キートップ板４１の長手方向をスイ
ッチ基板５１に対して確実に固定することができる。また、キートップ板４１をスイッチ
基板５１に対してスライドさせるだけで、スイッチ基板５１に対するキートップ板４１の
確実な固定が行えるようになる。
【００３０】
以上本発明の実施形態を説明したが、本発明は上記実施形態に限定されるものではなく
、特許請求の範囲、及び明細書と図面に記載された技術的思想の範囲内において種々の変
形が可能である。なお直接明細書及び図面に記載のない何れの形状・構造・材質であって
も、本願発明の作用・効果を奏する以上、本願発明の技術的思想の範囲内である。
【符号の説明】
【００３１】
１  誘導加熱調理器
１２  天板
１２ｂ  下面
１２ｃ  天板枠
１３，１４  誘導加熱コイル
１５  ラジエントヒーター
１７  操作窓
１８  凹部
３０  操作スイッチ
３１  フイルム板
３２  タッチ領域
４１  キートップ板
４２  キートップ
４２ｃ  押圧部
４３  開口部
４４  アーム
４５  爪部
４５ａ  基部
４５ｂ  係合片
４７  係止突起
５１  スイッチ基板
５１ｃ  端部
５２  スイッチ接点（スイッチ）
５５  係合穴（係合部）
６１  絶縁カバー
【図１】
2010212009.tif 000003
【図２】
2010212009.tif 000004
【図３】
2010212009.tif 000005
【図４】
2010212009.tif 000006
【図５】
2010212009.tif 000007